(57)【特許請求の範囲】
【請求項１】
複数のコンテンツへのリンクを含むウェブページを提供するウェブページ提供装置であって、
前記コンテンツへのリンクと前記コンテンツが属するカテゴリとを関連付けたリンク情報と、前記ウェブページにおける前記カテゴリごとの前記リンクの表示件数を示す表示件数情報を含むカテゴリ情報と、端末のユーザを識別するユーザＩＤ、地域を示す地域情報、及び当該地域における前記端末からのアクセス数を関連付けた地域別集計情報を記憶する記憶部と、
前記端末から前記ウェブページのリクエストと、前記ユーザＩＤと、前記端末の位置に対応する位置情報とを受信する受信部と、
前記受信部がリクエストを受信したことに応じて、前記リンク情報及び前記カテゴリ情報に基づいて、前記カテゴリごとに前記表示件数分の前記リンクを含む前記ウェブページを生成する生成部と、
生成された前記ウェブページを前記端末に送信する送信部と、
を備え、
前記生成部は、
前記受信部が前記ユーザＩＤ及び前記位置情報を受信すると、前記位置情報に対応する前記地域情報を特定し、
当該地域情報が、受信した前記ユーザＩＤに関連付けられて前記地域別集計情報に記憶されている場合に、前記地域別集計情報において当該地域情報及び当該ユーザＩＤに関連付けられているアクセス数に基づいて、前記ウェブページに優先的に表示させるカテゴリを選択し、
当該地域情報が、受信した前記ユーザＩＤに関連付けられて前記地域別集計情報に記憶されていない場合に、所定のカテゴリを前記ウェブページに優先的に表示させるカテゴリとする、
ウェブページ提供装置。
【請求項２】
前記記憶部は、前記表示件数情報として、前記カテゴリごとに前記ウェブページにおける前記リンクの表示行数及び表示列数を記憶し、
前記生成部は、前記表示行数及び前記表示列数に基づいて、前記表示件数を決定する、
請求項１に記載のウェブページ提供装置。
【請求項３】
前記生成部は、前記カテゴリごとに、当該カテゴリの関連カテゴリに関連付けられた前記リンクを含み、前記ウェブページにおいて前記カテゴリが選択されたことに応じて、前記ウェブページに上書き表示される関連リンク情報を、前記ウェブページに格納する、
請求項１又は２に記載のウェブページ提供装置。
【請求項４】
前記記憶部は、前記ユーザＩＤと、前記カテゴリごとの前記リンクの表示に係る優先度とを関連付けたユーザ情報を記憶し、
前記受信部は、前記端末から前記リクエスト及び前記ユーザＩＤを受信し、
前記生成部は、前記受信部が前記リクエスト及び前記ユーザＩＤを受信すると、前記ユーザＩＤに関連付けられている前記優先度に基づいて前記リンクを配置した前記ウェブページを生成する、
請求項１から３のいずれか１項に記載のウェブページ提供装置。
【請求項５】
前記記憶部は、地域を示す地域情報と、前記カテゴリごとの前記リンクの表示に係る優先度とを関連付けた地域別リンク情報を記憶し、
前記受信部は、前記端末から、前記リクエストと、前記端末の位置に対応する位置情報とを受信し、
前記生成部は、前記受信部が前記リクエスト及び前記位置情報を受信すると、前記位置情報に対応する前記地域情報を特定し、当該地域情報に関連付けられている前記優先度に基づいて前記リンクを配置した前記ウェブページを生成する、
請求項１から４のいずれか１項に記載のウェブページ提供装置。
【請求項６】
複数の前記端末に送信された前記ウェブページのそれぞれに含まれる前記リンクの選択数を集計する集計部をさらに備え、
前記生成部は、前記集計の結果に基づいて前記リンクを配置した前記ウェブページを生成する、
請求項１から５のいずれか１項に記載のウェブページ提供装置。
【請求項７】
前記記憶部は、前記コンテンツが属するカテゴリにおける前記コンテンツのランキングを示すランキング情報を記憶し、
前記生成部は、前記ランキングに基づいて前記リンクを配置した前記ウェブページを生成する、
請求項１から６のいずれか１項に記載のウェブページ提供装置。
【請求項８】
前記記憶部は、前記リンクと、前記リンクに関連する前記カテゴリにおける広告料とを関連付けた広告情報を記憶し、
前記生成部は、前記広告料の多い順に前記リンクを配置した前記ウェブページを生成する、
請求項１から７のいずれか１項に記載のウェブページ提供装置。
【請求項９】
前記端末から、前記ウェブページに含まれる前記リンクに対応するコンテンツの評価を示す評価情報を取得する評価情報取得部をさらに備え、
前記記憶部は、前記評価情報を記憶し、
前記生成部は、前記リンクに対応する位置に、前記評価情報を表示する評価表示リンクを配置した前記ウェブページを生成する、
請求項１から８のいずれか１項に記載のウェブページ提供装置。
【請求項１０】
複数のコンテンツへのリンクを含むウェブページを提供するウェブページ提供方法であって、
端末から、前記ウェブページのリクエストと、前記端末のユーザを識別するユーザＩＤと、前記端末の位置に対応する位置情報とを受信するステップと、
前記リクエストを受信したことに応じて、前記コンテンツへのリンクと前記コンテンツが属するカテゴリとを関連付けたリンク情報と、前記ウェブページにおける前記カテゴリごとの前記リンクの表示件数を示す表示件数情報を含むカテゴリ情報と、前記ユーザＩＤ、地域を示す地域情報、及び当該地域における前記端末からのアクセス回数を関連付けた地域別集計情報に基づいて、前記カテゴリごとに前記表示件数分の前記リンクを含む前記ウェブページを生成するステップと、
生成された前記ウェブページを前記端末に送信するステップと、
を備え、
前記ウェブページを生成するステップにおいて、
前記受信した前記ユーザＩＤ及び前記位置情報に基づいて、前記位置情報に対応する前記地域情報を特定し、
当該地域情報が、受信した前記ユーザＩＤに関連付けられて前記地域別集計情報に記憶されている場合に、前記地域別集計情報において当該地域情報及び当該ユーザＩＤに関連付けられているアクセス数に基づいて、前記ウェブページに優先的に表示させるカテゴリを選択し、
当該地域情報が、受信した前記ユーザＩＤに関連付けられて前記地域別集計情報に記憶されていない場合に、所定のカテゴリを前記ウェブページに優先的に表示させるカテゴリとする、
ウェブページ提供方法。
【発明の詳細な説明】
【技術分野】
【０００１】
本発明は、複数のコンテンツへのリンクを含むウェブページを提供するウェブページ提供装置及びウェブページ提供方法に関する。
【背景技術】
【０００２】
従来、インターネット上で公開されているウェブコンテンツを、階層構造を有するカテゴリのいずれかに分類しておき、ユーザが、階層を遷移することにより、目的の情報に辿り着くディレクトリ検索が知られている（例えば、特許文献１参照）。
【先行技術文献】
【特許文献】
【０００３】
【特許文献１】特開平１１−３３８８８８号公報
【発明の概要】
【発明が解決しようとする課題】
【０００４】
ところで、ユーザが訪問するウェブコンテンツには、天気情報やニュースサイトやスポーツといったように、定期的に訪問するウェブコンテンツがある。しかしながら、ユーザが、ディレクトリ検索を用いてこれらのウェブコンテンツを検索しようとすると、これらのウェブコンテンツのリンクに辿り着くまでに階層を辿る必要がある。このため、ディレクトリ検索では、何度もページ遷移が発生してしまい、当該ウェブコンテンツを効率的に閲覧できないという問題があった。
【０００５】
そこで、本発明はこれらの点に鑑みてなされたものであり、ユーザが多数のウェブコンテンツへのリンクを容易に確認できるウェブページを提供することができるウェブページ提供装置及びウェブページ提供方法を提供することを目的とする。
【課題を解決するための手段】
【０００６】
本発明の第１の態様に係るウェブページ提供装置は、複数のコンテンツへのリンクを含むウェブページを提供するウェブページ提供装置であって、前記コンテンツへのリンクと前記コンテンツが属するカテゴリとを関連付けたリンク情報と、前記ウェブページにおける前記カテゴリごとの前記リンクの表示件数を示す表示件数情報を含むカテゴリ情報とを記憶する記憶部と、端末から前記ウェブページのリクエストを受信する受信部と、前記受信部がリクエストを受信したことに応じて、前記リンク情報及び前記カテゴリ情報に基づいて、前記カテゴリごとに前記表示件数分の前記リンクを含む前記ウェブページを生成する生成部と、生成された前記ウェブページを前記端末に送信する送信部と、を備えることを特徴とする。
【０００７】
この発明によれば、端末のユーザは、複数のカテゴリそれぞれについて表示件数分のリンクが含まれるウェブページを視認して、複数のカテゴリそれぞれに対応するコンテンツのリンクを一度に確認することができる。したがって、端末のユーザは、当該ウェブページから他のウェブページに遷移することなく、多数のウェブコンテンツへのリンクを容易に確認できる。
【０００８】
また、前記記憶部は、前記表示件数情報として、前記カテゴリごとに前記ウェブページにおける前記リンクの表示行数及び表示列数を記憶し、前記生成部は、前記表示行数及び前記表示列数に基づいて、前記表示件数を決定することを特徴とする。
【０００９】
この発明によれば、表示行数及び表示列数に基づいて表示件数を決定するので、例えば、各カテゴリにおける表示行数及び表示列数を統一することにより、カテゴリごとのリンク数が統一され、複数のカテゴリそれぞれのリンクが確認しやすいウェブページとすることができる。
【００１０】
また、前記生成部は、前記カテゴリごとに、当該カテゴリの関連カテゴリに関連付けられた前記リンクを含み、前記ウェブページにおいて前記カテゴリが選択されたことに応じて、前記ウェブページに上書き表示される関連リンク情報を、前記ウェブページに格納することを特徴とする。
【００１１】
この発明によれば、端末のユーザは、一のカテゴリを選択することにより、当該カテゴリの関連カテゴリのリンクについても一度に確認することができる。また、関連リンク情報がウェブページに上書き表示されることから、端末のユーザは、他のウェブページに遷移する必要なく気軽に関連リンク情報を確認することができる。
【００１２】
また、前記記憶部は、前記端末のユーザを識別するユーザＩＤと、前記カテゴリごとの前記リンクの表示に係る優先度とを関連付けたユーザ情報を記憶し、前記受信部は、前記端末から前記リクエスト及び前記ユーザＩＤを受信し、前記生成部は、前記受信部が前記リクエスト及び前記ユーザＩＤを受信すると、前記ユーザＩＤに関連付けられている前記優先度に基づいて前記リンクを配置した前記ウェブページを生成することを特徴とする。
この発明によれば、ウェブページ提供装置は、端末のユーザそれぞれに適したリンクが優先的に配置されるので、当該ユーザにとって使いやすいウェブページを提供することができる。
【００１３】
また、前記記憶部は、地域を示す地域情報と、前記カテゴリごとの前記リンクの表示に係る優先度とを関連付けた地域別リンク情報を記憶し、前記受信部は、前記端末から、前記リクエストと、前記端末の位置に対応する位置情報とを受信し、前記生成部は、前記受信部が前記リクエスト及び前記位置情報を受信すると、前記位置情報に対応する前記地域情報を特定し、当該地域情報に関連付けられている前記優先度に基づいて前記リンクを配置した前記ウェブページを生成することを特徴とする。
この発明によれば、ウェブページ提供装置は、それぞれの地域に適したリンクが優先的に表示されたウェブページを提供することができる。
【００１４】
また、前記ウェブページ提供装置は、複数の前記端末に送信された前記ウェブページのそれぞれに含まれる前記リンクの選択数を集計する集計部をさらに備え、前記生成部は、前記集計の結果に基づいて前記リンクを配置した前記ウェブページを生成することを特徴とする。
この発明によれば、ウェブページ提供装置は、リンクの選択数の集計結果に基づいて、動的にリンクの配置を変更することができるので、例えば、一時的に人気が出たコンテンツのリンクを優先的に配置することができる。
【００１５】
また、前記記憶部は、前記コンテンツが属するカテゴリにおける前記コンテンツのランキングを示すランキング情報を記憶し、前記生成部は、前記ランキングに基づいて前記リンクを配置した前記ウェブページを生成することを特徴とする。
この発明によれば、例えば、ランキング情報を多様な観点で作成することにより、ウェブページにおけるリンクの配置を複数のランキングに基づいて自由に変更することができる。
【００１６】
また、前記記憶部は、前記リンクと、前記リンクに関連する前記カテゴリにおける広告料とを関連付けた広告情報を記憶し、前記生成部は、前記広告料の多い順に前記リンクを配置した前記ウェブページを生成することを特徴とする。
この発明によれば、広告料に基づいてリンクを配置するので、広告主は、当該ウェブページを利用して自身のコンテンツを宣伝することができる。
【００１７】
また、前記ウェブページ提供装置は、前記端末から、前記ウェブページに含まれる前記リンクに対応するコンテンツの評価を示す評価情報を取得する評価情報取得部をさらに備え、前記記憶部は、前記評価情報を記憶し、前記生成部は、前記リンクに対応する位置に、前記評価情報を表示する評価表示リンクを配置した前記ウェブページを生成することを特徴とする。
この発明によれば、端末のユーザは、コンテンツを直接閲覧することなく、リンク先のコンテンツの評価に基づいてコンテンツのおおよその内容を把握することができる。
【００１８】
本発明の第２の態様に係るウェブページ提供方法は、複数のコンテンツへのリンクを含むウェブページを提供するウェブページ提供方法であって、端末から前記ウェブページのリクエストを受信するステップと、前記リクエストを受信したことに応じて、前記コンテンツへのリンクと前記コンテンツが属するカテゴリとを関連付けたリンク情報と、前記ウェブページにおける前記カテゴリごとの前記リンクの表示件数を示す表示件数情報を含むカテゴリ情報とに基づいて、前記カテゴリごとに前記表示件数分の前記リンクを含む前記ウェブページを生成するステップと、生成された前記ウェブページを前記端末に送信するステップと、を備えたことを特徴とする。
この発明によれば、第１の態様に係るウェブページ提供装置と同等の効果を奏することができる。
【発明の効果】
【００１９】
本発明によれば、ユーザが多数のウェブコンテンツへのリンクを容易に確認できるウェブページを提供することができるという効果を奏する。
【図面の簡単な説明】
【００２０】
【図１】第１の実施形態に係るウェブページ提供システムの概要図である。
【図２】第１の実施形態に係るウェブページ提供装置の機能構成図である。
【図３】第１の実施形態に係るリンク情報を示す図である。
【図４】第１の実施形態に係るカテゴリ情報を示す図である。
【図５】第１の実施形態に係る生成部により生成されたポータルページの一部を示す図である。
【図６】第１の実施形態に係る関連カテゴリ情報を示す図である。
【図７】第１の実施形態に係る生成部により生成されたポータルページにおいて、関連リンク情報が表示された状態を示す図である。
【図８】第１の実施形態に係るウェブページ提供装置における処理の流れを示すフローチャートである。
【図９】第２の実施形態に係るウェブページ提供装置の機能構成図である。
【図１０】第２の実施形態に係るユーザ情報を示す図である。
【図１１】第３の実施形態に係る地域別リンク情報を示す図である。
【図１２】第３の実施形態に係る地域別集計情報を示す図である。
【図１３】第４の実施形態に係るウェブページ提供装置の機能構成図である。
【図１４】第４の実施形態に係る集計情報を示す図である。
【図１５】第６の実施形態に係る広告情報を示す図である。
【図１６】第７の実施形態に係るウェブページ提供装置の機能構成図である。
【図１７】第７の実施形態に係る評価情報を示す図である。
【発明を実施するための形態】
【００２１】
以下、本発明の実施形態について説明する。
＜第１の実施形態＞
［ウェブページ提供システムＳの概要］
図１は、第１の実施形態に係るウェブページ提供システムＳの概要図である。
ウェブページ提供システムＳは、ウェブページ提供装置１と、複数の端末２（端末２Ａ、２Ｂ・・・）とを備える。
【００２２】
ウェブページ提供装置１は、例えば、ウェブサーバであり、インターネット網等から構成されるネットワークＮを介して、パーソナルコンピュータや携帯電話機等の複数の端末２と通信可能に接続されている。ウェブページ提供装置１は、端末２からウェブページの送信を要求するリクエストを受信したことに応じて、複数のコンテンツへのリンクを含むウェブページを生成し、当該ウェブページを端末２に送信する。このウェブページは、端末２においてブラウザが起動された時に当該ブラウザに表示されるウェブページであり、端末２のユーザが当該ウェブページから複数のコンテンツにアクセスすることを目的としたものである。以下、ウェブページ提供装置１が送信するウェブページをポータルページという。
端末２は、ウェブページ提供装置１からポータルページを受信すると、端末２が備える表示部（不図示）に当該ポータルページを表示させる。そして、端末２のユーザは、複数のコンテンツへのリンクから、閲覧したいコンテンツのリンクを選択し、当該コンテンツにアクセスする。
【００２３】
［ウェブページ提供装置１の構成例］
続いて、ウェブページ提供装置１が備える機能について説明する。図２は、第１の実施形態に係るウェブページ提供装置１の機能構成図である。
ウェブページ提供装置１は、記憶部１１と、制御部１２とを備える。
【００２４】
記憶部１１は、例えば、ＲＯＭ及びＲＡＭ等により構成される。記憶部１１は、ウェブページ提供装置１を機能させるための各種プログラムを記憶する。記憶部１１は、外部メモリ等の記憶媒体に記憶されたプログラムを読み取って記憶してもよく、ネットワークを介して外部装置からダウンロードされたプログラムを記憶してもよい。記憶部１１は、リンクＤＢ１１１と、カテゴリＤＢ１１２とを備える。これらの詳細については、後述する。
【００２５】
制御部１２は、例えば、ＣＰＵにより構成される。制御部１２は、記憶部１１に記憶されている各種プログラムを実行することにより、ウェブページ提供装置１に係る機能を統括的に制御する。制御部１２は、受信部１２１と、生成部１２２と、送信部１２３とを備える。
【００２６】
受信部１２１は、端末２から、ポータルページの送信を要求するリクエストを受信する。
生成部１２２は、受信部１２１が端末２からリクエストを受信したことに応じて、リンクＤＢ１１１及びカテゴリＤＢ１１２に基づいて、カテゴリごとに表示件数分のリンクを含むポータルページを生成する。
【００２７】
図３は、第１の実施形態に係るリンク情報を示す図である。リンクＤＢ１１１は、コンテンツへのリンクと、コンテンツが属するカテゴリと、当該カテゴリにおける当該リンクの優先度とを関連付けたリンク情報を格納する。ここで、優先度は、ポータルページに表示されるカテゴリそれぞれにおけるリンクの表示順序に関する情報である。例えば、優先度が高いほどリンクの表示順が高く、優先度が低いほどリンクの表示順が低い。
【００２８】
図４は、第１の実施形態に係るカテゴリ情報を示す図である。カテゴリＤＢ１１２は、ポータルページにおけるカテゴリごとのリンクの表示件数を示す表示件数情報、すなわち、ポータルページにおけるリンクの表示行数及び表示列数を含むカテゴリ情報を格納する。具体的には、カテゴリＤＢ１１２は、カテゴリと、カテゴリが属するグループと、当該グループにおけるカテゴリの表示順と、ポータルページにおいて当該カテゴリに関連して表示させるリンクの行数を示す表示行と、ポータルページにおいて当該カテゴリに関連して表示させるリンクの列数を示す表示列とを関連付けたカテゴリ情報を格納する。ここで、「グループ」とは、関連性がある複数のカテゴリを分類するための情報である。例えば、図４に示す例では、カテゴリ「テレビ」の表示行は「２」であり、表示列は「５」である。これは、ポータルページに、カテゴリ「テレビ」に関連するリンクが２行５列、すなわち１０個表示されることを示している。
【００２９】
生成部１２２は、受信部１２１が端末２からリクエストを受信すると、カテゴリＤＢ１１２に格納されているカテゴリ情報を参照してカテゴリを取得する。具体的には、生成部１２２は、カテゴリ情報を参照して、グループの値が小さい順、かつ、表示順の値が小さい順にカテゴリを取得する。続いて、生成部１２２は、カテゴリ情報を参照して、取得したカテゴリに関連する表示行及び表示列を取得し、当該表示行及び表示列に基づいてカテゴリごとのリンクの表示件数を決定する。生成部１２２は、例えば、取得した表示行と表示列とを乗算することにより表示件数を算出する。続いて、生成部１２２は、リンクＤＢ１１１に格納されているリンク情報を参照してカテゴリごとに、表示件数分のリンクを取得する。なお、生成部１２２は、リンクＤＢ１１１にカテゴリに対応したリンクが表示件数分記憶されていない場合、リンクＤＢ１１１から、当該カテゴリに対応した全てのリンクを取得する。例えば、カテゴリ「テレビ」に対応したリンクがリンクＤＢ１１１に６件のみ記憶されており、カテゴリ「テレビ」に対応した表示件数が１０件である場合、生成部１２２は、当該６件のリンクを取得する。
【００３０】
続いて、生成部１２２は、カテゴリ情報に含まれる表示順に基づいて、ポータルページに、カテゴリを配置する。続いて、生成部１２２は、配置したカテゴリに関連する表示件数分のリンクを、優先度に基づいて配置する。生成部１２２は、例えば優先度が高いほど、カテゴリを示す文字列の配置位置に近い位置にリンクを配置する。生成部１２２は、グループごとに、当該グループに属するカテゴリと当該カテゴリに関連するリンクとを、枠線で囲む。
【００３１】
図５は、第１の実施形態に係る生成部１２２により生成されたポータルページの一部を示す図である。図５に示されるポータルページの左側に表示されている「通販」、「新聞」、「旅行」、「映画」及び「仕事」は、それぞれカテゴリを示している。また、例えば、カテゴリ「新聞」の右側には、当該カテゴリに関連する５件のリンク「Ｆ新聞」、「Ｇ新聞」、「Ｈ新聞」、「Ｉニュース」及び「Ｊ新聞社」が表示されている。ここで、カテゴリに関連する各リンクは、優先度が高いほどカテゴリを示す文字列「新聞」に近い位置に表示されている。当該ポータルページにおいて端末２のユーザがリンクをクリックすると、当該ポータルページが表示されているウィンドウとは異なるウィンドウにリンク先のコンテンツが表示される。また、ポータルページに表示されているリンクの右側には「一覧」が表示されている。この「一覧」がクリックされると、当該「一覧」に対応するカテゴリの関連カテゴリに関連付けられたリンクが表示されているウェブページに遷移する。
【００３２】
生成部１２２は、ポータルページに表示されるカテゴリのそれぞれについて、カテゴリＤＢ１１２に格納されている関連カテゴリ情報を参照し、当該カテゴリが選択されたことに応じて、ポータルページに上書き表示される関連リンク情報を生成してポータルページに格納する。図６は、第１の実施形態に係る関連カテゴリ情報を示す図である。関連カテゴリ情報は、カテゴリと、関連カテゴリと、関連カテゴリに対応するリンクと、当該リンクの関連カテゴリにおける優先度とを関連付けて記憶する。なお、関連カテゴリ情報は、関連リンク情報におけるリンクの表示行及び表示列を記憶してもよい。
【００３３】
具体的には、生成部１２２は、カテゴリＤＢ１１２に格納されている関連カテゴリ情報に基づいて、カテゴリごとに、当該カテゴリの関連カテゴリに関連付けられたリンクを含み、ポータルページにおいて当該カテゴリが選択されたことに応じて、ポータルページに上書き表示される関連リンク情報をポータルページに格納する。なお、この関連リンク情報は、ポータルページに表示されている「一覧」がクリックされることにより表示されるウェブページと同じ情報である。また、上書き表示される関連カテゴリは、「一覧」がクリックされることにより表示されるウェブページ内の関連カテゴリと同一のカテゴリを少なくとも含む。ここで、「上書き表示」とは、新たなポータルページに遷移することを示すものではなく、カテゴリが選択されている間のみポータルページに上書き表示することをいう。また、「選択された」とは、例えば、マウスカーソルがカテゴリを示す文字列の上に位置することをいう。
【００３４】
なお、生成部１２２は、関連カテゴリ情報と、当該関連カテゴリに基づいて関連リンク情報を生成するスクリプトをポータルページに格納してもよい。この場合、当該スクリプトは、ポータルページにおいてカテゴリが選択されたことに応じて実行される。
送信部１２３は、生成部１２２が生成したポータルページを、リクエストを送信した端末２に対して送信する。
【００３５】
図７は、第１の実施形態に係る生成部１２２により生成されたポータルページにおいて、関連リンク情報が表示された状態を示す図である。図７では、例えば、カテゴリ「出張」を示す文字列にマウスカーソルが位置することにより、カテゴリ「出張」が選択され、「出張」に関連する関連カテゴリ「ビジネストラベル」、「格安航空券」、「特急・新幹線予約」を含む関連リンク情報がポータルページに対して上書きされていることが確認できる。
【００３６】
なお、生成部１２２は、ポータルページに表示されるカテゴリのリンクの表示領域の表示幅と、関連リンク情報の表示領域の表示幅とを一致させてもよい。例えば、カテゴリ「出張」に関連して、関連カテゴリ「ビジネストラベル」、「格安航空券」、「特急・新幹線予約」が存在するように、一のカテゴリに対して、当該カテゴリの関連カテゴリが複数存在する場合、生成部１２２は、複数の関連カテゴリそれぞれのリンクの表示列の和が、一のカテゴリの表示列と一致するように、複数の関連カテゴリそれぞれのリンクの表示列数を決定してもよい。例えば、生成部１２２は、カテゴリ「出張」のリンクの表示列が「５」である場合、関連カテゴリ「ビジネストラベル」、「格安航空券」、「特急・新幹線予約」それぞれのリンクの表示列を、関連カテゴリそれぞれのリンク数の比率に基づいて「３」、「１」、「１」と決定する。
【００３７】
［ウェブページ提供装置１のフローチャート］
図８は、第１の実施形態に係るウェブページ提供装置１における処理の流れを示すフローチャートである。
まず、受信部１２１は、端末２から、ポータルサイトの送信を要求するリクエストを受信する（Ｓ１）。
【００３８】
続いて、生成部１２２は、カテゴリＤＢ１１２に格納されているカテゴリ情報を参照して、カテゴリを取得する（Ｓ２）。生成部１２２は、グループの値が小さい順、かつ、表示順の値が小さい順にカテゴリを取得する。
続いて、生成部１２２は、カテゴリＤＢ１１２に格納されているカテゴリ情報を参照して、取得したカテゴリに対応するリンクの表示件数を決定する（Ｓ３）。
【００３９】
続いて、生成部１２２は、リンクＤＢ１１１に格納されているリンク情報を参照して、Ｓ２において取得したカテゴリに関連付けられているリンクを表示件数分取得する（Ｓ４）。
続いて、生成部１２２は、ポータルページにカテゴリを示す文字列を配置するとともに、配置したカテゴリに関連する表示件数分のリンクを、優先度に基づいて配置する（Ｓ５）。
【００４０】
続いて、生成部１２２は、全てのカテゴリについてリンクを配置したか否かを判定する（Ｓ６）。生成部１２２は、全てのカテゴリについてリンクを配置した場合、ポータルページの生成が完了したものとし、Ｓ７に処理を移す。生成部１２２は、全てのカテゴリについてリンクを配置していない場合、Ｓ２に処理を移し、次のカテゴリを取得する。
【００４１】
続いて、生成部１２２は、カテゴリＤＢ１１２に格納されている関連カテゴリ情報を参照して関連リンク情報を生成する（Ｓ７）。
続いて、生成部１２２は、Ｓ７において生成した関連リンク情報をポータルページに非表示状態で配置する（Ｓ８）。
続いて、送信部１２３は、生成部１２２が生成したポータルページを、リクエストを送信した端末２に対して送信する（Ｓ９）。
【００４２】
［第１の実施形態における効果］
以上のとおり、第１の実施形態に係るウェブページ提供装置１は、コンテンツへのリンクと当該コンテンツが属するカテゴリとを関連付けたリンク情報と、ポータルページにおけるカテゴリごとのリンクの表示件数を含むカテゴリ情報とを記憶する記憶部１１と、端末２からポータルページのリクエストを受信する受信部１２１と、受信部１２１がリクエストを受信したことに応じて、リンク情報及びカテゴリ情報に基づいて、カテゴリごとに表示件数分のリンクを含むポータルページを生成する生成部１２２と、生成されたポータルページを端末２に送信する送信部１２３と、を備える。
【００４３】
この発明によれば、端末２のユーザは、複数のカテゴリそれぞれについて表示件数分のリンクが含まれるポータルページを視認して、複数のカテゴリそれぞれに対応する代表的なコンテンツに対応するリンクを一度に確認することができる。したがって、端末２のユーザは、当該ポータルページから他のウェブページに遷移することなく、多数のウェブコンテンツへのリンクを容易に確認できる。
【００４４】
＜第２の実施形態＞
［ユーザごとに優先度を変更する］
続いて、第２の実施形態について説明する。第２の実施形態は、端末２のユーザごとにリンクの優先度を変更する点で第１の実施形態と異なり、その他の点では同じである。
【００４５】
図９は、第２の実施形態に係るウェブページ提供装置１の機能構成図である。
第２の実施形態に係る記憶部１１は、ユーザＤＢ１１３をさらに備える。第２の実施形態に係る制御部１２は、優先度取得部１２４をさらに備える。
【００４６】
優先度取得部１２４は、端末２から、優先度の変更要求を示すリクエストを受信したことに応じて、リンク情報に含まれているリンクの優先度の個別変更を受け付ける変更用ページを当該端末２に送信する。続いて、端末２のユーザは、端末２が受信した変更用ページにおいて所定の操作を行い、各カテゴリにおけるリンクの表示順を選択する。すると、端末２から、端末２のユーザを識別するユーザＩＤ、リンク、当該リンクが属するカテゴリ、及び当該リンクの表示順がウェブページ提供装置１に送信される。
【００４７】
優先度取得部１２４は、端末２から、ユーザＩＤ、リンク、当該リンクが属するカテゴリ、及び当該リンクの表示順を受信すると、当該表示順に基づいて優先度を決定する。例えば、所定値（例えば、１００）から表示順を示す値を減算して優先度を決定する。優先度取得部１２４は、表示順が「１」の場合には、優先度として「９９」を割り当て、表示順「２」の場合には、優先度として「９８」を割り当てる。そして、優先度取得部１２４は、これらユーザＩＤ、リンク、カテゴリ及び優先度を関連付けて、ユーザ情報としてユーザＤＢ１１３に記憶させる。なお、優先度取得部１２４は、リンク情報に含まれていないリンクを端末２から受信し、当該リンクを含むユーザ情報をユーザＤＢ１１３に記憶させてもよい。
【００４８】
図１０は、第２の実施形態に係るユーザ情報を示す図である。図１０に示されるように、ユーザ情報は、ユーザＩＤと、リンクと、カテゴリと、優先度とを関連付けた情報である。図１０に示されるように、リンク「www.abc.com/***.html」に関連する優先度は、複数のユーザＩＤそれぞれで異なっている。例えば、ユーザＩＤ「Ｃ」の優先度は、ユーザＩＤ「Ａ」の優先度に比べて高く設定されていることが確認できる。
【００４９】
受信部１２１は、端末２から、ポータルページの送信を要求するリクエスト及びユーザＩＤを受信する。
生成部１２２は、受信部１２１がリクエスト及びユーザＩＤを受信すると、ユーザＤＢ１１３に格納されているユーザ情報、及びカテゴリＤＢ１１２に格納されているカテゴリ情報を参照し、受信したユーザＩＤに関連付けられている優先度に基づいてリンクを配置したポータルページを生成する。ここで、受信部１２１がリクエストのみ受信した場合、生成部１２２は、リンクＤＢ１１１に格納されているリンク情報、及びカテゴリＤＢ１１２に格納されているカテゴリ情報を参照し、ポータルページを生成してもよい。
【００５０】
［第２の実施形態における効果］
以上のとおり、第２の実施形態に係る生成部１２２は、受信部１２１がリクエスト及びユーザＩＤを受信すると、ユーザＩＤに関連付けられている優先度に基づいてリンクを配置したポータルページを生成するので、端末２のユーザそれぞれに適したリンクが配置され、当該ユーザにとって使いやすいポータルページを提供することができる。
【００５１】
＜第３の実施形態＞
［地域に応じて優先度を変更する］
続いて、第３の実施形態について説明する。第３の実施形態は、地域に応じてリンクの優先度を変更してウェブページを生成する点で第１の実施形態と異なり、その他の点では同じである。
【００５２】
例えば、新聞やテレビといったコンテンツは、地域それぞれで異なっている。そこで、第３の実施形態のウェブページ提供装置１は、コンテンツの優先度を地域それぞれで個別に設定しておき、地域それぞれで、優先的に表示されるコンテンツが異なるポータルページを提供する。
【００５３】
第３の実施形態に係る記憶部１１のリンクＤＢ１１１は、地域を示す地域情報と、カテゴリごとのリンクの表示に係る優先度とを関連付けた、地域別リンク情報を格納する。図１１は、第３の実施形態に係る地域別リンク情報を示す図である。図１１に示されるように、地域別リンク情報は、リンクと、カテゴリと、地域を示す地域情報と、優先度とを関連付けて記憶する。
【００５４】
第３の実施形態において、受信部１２１は、端末２から、リクエストと、端末２の位置に対応する位置情報とを受信する。ここで、位置情報は、例えば、ＩＰアドレスである。
生成部１２２は、受信部１２１がリクエスト及び位置情報を受信すると、当該位置情報に対応する地域情報を特定する。具体的には、記憶部１１に、位置情報と地域情報とを関連付けた対応テーブルを記憶させておき、生成部１２２は、当該対応テーブルを参照して、受信した位置情報に対応する地域情報を特定する。
【００５５】
なお、受信部１２１が、端末２から位置情報を受信し、生成部１２２が、当該位置情報に基づいて地域情報を特定してもよい。また、生成部１２２は、位置情報から地域情報を特定する機能を有する外部装置に位置情報を送信し、当該外部装置から地域情報を受信することにより、地域情報を特定してもよい。
【００５６】
続いて、生成部１２２は、リンクＤＢ１１１に格納されている地域別リンク情報と、カテゴリＤＢ１１２に格納されているカテゴリ情報とを参照し、特定した地域情報に関連付けられている優先度に基づいてリンクを配置したポータルページを生成する。ここで、受信部１２１がリクエストのみ受信した場合、生成部１２２は、リンクＤＢ１１１に格納されているリンク情報、及びカテゴリＤＢ１１２に格納されているカテゴリ情報を参照し、ポータルページを生成してもよい。
【００５７】
なお、生成部１２２は、端末２から受信した位置情報と、地域との関連性とを記憶部１１に記憶してもよい。そして、生成部１２２は、端末２から受信した位置情報に対応する地域が変化した場合に、端末２のユーザが旅行又は出張等、一時的に異なる地域に滞在しているか否かを判定し、当該判定の結果に基づいて、ポータルページに配置するカテゴリを変化させてもよい。
【００５８】
具体的には、生成部１２２は、図１２に示すように、端末２から受信したユーザＩＤと、端末２から受信した位置情報に基づいて特定した地域と、当該地域における端末２からのアクセス数とを関連付けて地域別集計情報として記憶させる。そして、生成部１２２は、端末２から受信した位置情報に基づいて特定した地域に関連し、端末２から受信したユーザＩＤに関連付けられているアクセス数が、地域別集計情報において所定回数以上の場合には、当該端末２のユーザが当該地域に定住していると判定し、地域別集計情報において所定回数未満の場合には、当該端末２のユーザが当該地域において一時的に滞在していると判定する。そして、生成部１２２は、一時的な滞在に適しているカテゴリとして、例えば、「グルメ」や「観光」といったカテゴリを選択し、優先的にポータルページに配置してもよい。このようにすることで、一時的に滞在しているユーザは、ご当地情報を確認して、当該滞在を有意義なものとすることができる。
【００５９】
また、生成部１２２は、端末２から受信した位置情報に基づいて特定した地域が、端末２から受信したユーザＩＤに関連付けられて地域別集計情報に記憶されていない場合には、当該端末２のユーザが当該地域に初めて訪問したと判定する。そして、生成部１２２は、一時的な滞在に適しているカテゴリとして、例えば、「グルメ」や「観光」といったカテゴリを選択し、優先的にポータルページに配置するとともに、「電力」や「ガス」といった生活に密接に関連するカテゴリを優先的に配置してもよい。また、生成部１２２は、一時的な滞在と判定した場合に限定して、カテゴリ「引越」を配置してもよい。
【００６０】
また、生成部１２２は、端末２からアクセスされた時間に基づいて、所定期間（例えば、直近の１年間）におけるアクセスを地域別集計情報として記憶させてもよい。このようにすることで、例えば、端末２のユーザが、引越し前の地域からウェブページ提供装置１にアクセスしていた際のアクセス情報を判定対象から除外し、最新のアクセス情報に基づいて定住しているか否かを判定することができる。
【００６１】
［第３の実施形態における効果］
以上のとおり、第３の実施形態に係る生成部１２２は、受信部１２１がリクエスト及び位置情報を受信すると、位置情報に対応する地域情報を特定し、当該地域情報に関連付けられている優先度に基づいてリンクを配置したポータルページを生成する。
このようにすることで、ウェブページ提供装置１は、例えば、端末２のユーザが出張先において端末２を介してポータルページを閲覧するときに、当該地域に適したポータルページを提供することができる。
【００６２】
＜第４の実施形態＞
［ポータルページにおけるリンクの選択数に基づいてリンクを配置したポータルページを提供する］
続いて、第４の実施形態について説明する。第４の実施形態は、ポータルページにおけるリンクの選択数（クリック数）に基づいてリンクを配置したポータルページを提供する点で第１の実施形態と異なり、その他の点では同じである。
【００６３】
図１３は、第４の実施形態に係るウェブページ提供装置１の機能構成図である。
第４の実施形態において、記憶部１１は、集計ＤＢ１１４をさらに備え、制御部１２は、集計部１２５をさらに備える。
集計部１２５は、ウェブページ提供装置１から複数の端末２に送信されたポータルページのそれぞれに含まれるリンクの選択数を集計する。
【００６４】
図１４は、第４の実施形態に係る集計情報を示す図である。図１４に示されるように、集計情報は、リンクと、当該リンクが選択された数を示す選択数とを関連付けて記憶する。なお、本実施形態において「リンクが選択された」とは、端末２においてリンクがクリックされたことを示している。
【００６５】
第４の実施形態において生成部１２２が生成するポータルページに含まれるリンクは、例えば、リダイレクト用のＵＲＬであり、ウェブページ提供装置１を宛先とし、パラメータとして、コンテンツのＵＲＬを含んでいる。端末２において、当該リンクが選択されると、ウェブページ提供装置１に、リダイレクト用のＵＲＬを含むリクエストが送信される。集計部１２５は、当該リクエストを受信すると、当該リクエストに含まれているＵＲＬに付されているパラメータに基づいて、実際に端末２がアクセスするコンテンツのＵＲＬを特定する。そして、集計部１２５は、集計ＤＢ１１４に格納されている集計情報にアクセスして、コンテンツのＵＲＬと一致するリンクの選択数を増加させるとともに、コンテンツのＵＲＬにリダイレクトする。
【００６６】
生成部１２２は、受信部１２１がポータルページの送信を要求するリクエストを受信すると、リンクＤＢ１１１に格納されているリンク情報、カテゴリＤＢ１１２に格納されているカテゴリ情報に基づいて、カテゴリごとに表示件数分のリンクを取得する。そして、生成部１２２は、集計ＤＢ１１４に格納されている集計情報を参照し、当該集計情報が示す集計の結果に基づいて、当該取得したリンクを配置したポータルページを生成する。
【００６７】
［第４の実施形態における効果］
以上のとおり、第４の実施形態に係るウェブページ提供装置１は、複数の端末２に送信されたポータルページのそれぞれに含まれるリンクの選択数を集計する集計部１２５をさらに備え、生成部１２２は、当該集計の結果に基づいてリンクを配置したポータルページを生成する。このようにすることで、ウェブページ提供装置１は、リンクの選択数の集計結果に基づいて、例えば、カテゴリにおいて代表的なコンテンツや人気があるコンテンツのリンクをポータルページに優先的に配置することができる。
【００６８】
＜第５の実施形態＞
［ランキング情報に基づいてリンクを配置したポータルページを提供する］
続いて、第５の実施形態について説明する。第５の実施形態は、ランキング情報に基づいてリンクを配置したポータルページを提供する点で第１の実施形態と異なり、その他の点では同じである。
【００６９】
第５の実施形態の記憶部１１は、コンテンツが属するカテゴリにおけるコンテンツのランキングを示すランキング情報を記憶する。なお、ランキングは、カテゴリごとに異なる要素のランキングであってよい。例えば、カテゴリが「新聞」の場合、新聞の発行部数に基づくランキング情報を記憶し、カテゴリが「車」の場合、販売台数に基づくランキング情報を記憶してもよい。
【００７０】
生成部１２２は、受信部１２１がポータルページの送信を要求するリクエストを受信すると、リンクＤＢ１１１に格納されているリンク情報、カテゴリＤＢ１１２に格納されているカテゴリ情報に基づいて、カテゴリごとに表示件数分のリンクを取得する。そして、生成部１２２は、記憶部１１に記憶されているランキングに基づいて、当該取得したリンクを配置したポータルページを生成する。
【００７１】
［第５の実施形態における効果］
以上のとおり、第５の実施形態に係る生成部１２２は、ランキングに基づいてリンクを配置したポータルページを生成するので、ウェブページ提供装置１は、例えば、ランキング情報を多様な観点で作成することにより、ポータルページにおけるリンクの配置を状況に応じて自由に変更することができる。
【００７２】
＜第６の実施形態＞
［コンテンツの広告料に基づいてリンクを配置する］
続いて、第６の実施形態について説明する。第６の実施形態は、ポータルページに掲載するリンクについて受け付けた広告料に基づいてリンクを配置したポータルページを提供する点で第１の実施形態と異なり、その他の点では同じである。
【００７３】
第６の実施形態の記憶部１１は、コンテンツに対応するリンクと、当該リンクに関連するカテゴリにおける当該コンテンツの広告料とを関連付けた広告情報を予め記憶する。図１５は、第６の実施形態に係る広告情報を示す図である。図１５に示されるように、広告情報は、リンクと、カテゴリと、広告料とを関連付けて記憶する。広告情報は、例えば、広告料を受け付けているコンテンツに関連するリンクのみ記憶してもよい。
【００７４】
生成部１２２は、受信部１２１がポータルページの送信を要求するリクエストを受信すると、リンクＤＢ１１１に格納されているリンク情報、カテゴリＤＢ１１２に格納されているカテゴリ情報に基づいて、カテゴリごとに表示件数分のリンクを取得する。そして、生成部１２２は、記憶部１１に記憶されている広告情報を参照し、当該リンクに関連する広告料が多い順に、当該取得したリンクを配置したポータルページを生成する。
【００７５】
［第６の実施形態における効果］
以上のとおり、第６の実施形態に係る生成部１２２は、広告料の多い順にリンクを配置したポータルページを生成するので、広告主は、当該ポータルページを利用して自身のコンテンツを宣伝することができる。
【００７６】
＜第７の実施形態＞
［リンク先のコンテンツの評価を表示する］
続いて、第７の実施形態について説明する。第７の実施形態は、ポータルページに掲載するリンクそれぞれについて受け付けた評価をポータルページに上書き表示する点で第１の実施形態と異なり、その他の点では同じである。
【００７７】
図１６は、第７の実施形態に係るウェブページ提供装置１の機能構成図である。
第７の実施形態において、記憶部１１は、評価ＤＢ１１５をさらに備え、制御部１２は、評価情報取得部１２６をさらに備える。
【００７８】
図１７は、第７の実施形態に係る評価情報を示す図である。図１７に示されるように、評価情報は、端末２のユーザが評価したコンテンツに対応するリンクと、当該ユーザのユーザＩＤと、当該ユーザによる評価を示す個別評価情報とを関連付けて記憶する。
【００７９】
評価情報取得部１２６は、端末２から、ポータルページに含まれるリンク先のコンテンツの評価を示す評価情報を取得する。具体的には、評価情報取得部１２６は、端末から、ユーザＩＤと、当該ユーザＩＤのユーザが評価したコンテンツに対応するリンクと、当該ユーザが評価した個別評価情報とを受信し、これらの情報を評価情報として評価ＤＢ１１５に記憶させる。
【００８０】
生成部１２２は、受信部１２１がポータルページの送信を要求するリクエストを受信すると、リンクＤＢ１１１に格納されているリンク情報、カテゴリＤＢ１１２に格納されているカテゴリ情報に基づいて、カテゴリごとに表示件数分のリンクを取得する。続いて、生成部１２２は、ポータルページに、カテゴリに関連する表示件数分のリンクを配置するとともに、当該リンクに対応する位置に、評価情報を表示する評価表示リンクを配置する。
【００８１】
また、生成部１２２は、端末２においてポータルページに表示されている評価表示リンクが選択されたことに応じて、ポータルページに個別評価情報が上書き表示される評価表示用情報をポータルページに格納する。これにより、端末２のユーザは、ポータルページから遷移することなく、他のユーザの個別評価情報を確認することができる。
【００８２】
［第７の実施形態における効果］
以上のとおり、第７の実施形態に係る生成部１２２は、リンクに対応する位置に、評価情報を表示する評価表示リンクを配置したポータルページを生成するので、端末２のユーザは、リンク先のコンテンツの評価に基づいて、例えば自身が求める情報が掲載されている可能性が高いコンテンツを選択することができる。
【００８３】
以上、本発明を実施の形態を用いて説明したが、本発明の技術的範囲は上記実施の形態に記載の範囲には限定されない。例えば、実施の形態を組み合わせたり、多様な変更又は改良を加えたりすることが可能であることが当業者に明らかである。例えば、生成部１２２は、ユーザごとかつ地域ごとに優先度を変更してもよい。例えば、ユーザＡが福岡に滞在している場合に、ポータルページの所定のカテゴリに、福岡に関連するリンクＬ１と、リンクＬ２とを表示し、ユーザＢが福岡に滞在している場合に、ポータルページの所定のカテゴリに、福岡に関連するリンクＬ３と、リンクＬ４とを表示してもよい。
【００８４】
また、生成部１２２は、地域及び気象情報に基づいてカテゴリの配置を変更してもよい。例えば、記憶部１１に、気象状態と、カテゴリと、優先度とを関連付けて記憶しておき、生成部１２２が、端末２が位置している地域において気象が所定状態（例えば、大雨や猛暑）の場合に、当該所定状態に対応するカテゴリ（「天気」や「ニュース」）を優先的に配置してもよい。
【００８５】
また、生成部１２２は、季節に応じてカテゴリの配置を変更してもよい。例えば、記憶部１１に、季節を示す季節情報と、カテゴリとを関連付けて記憶しておき、生成部１２２が、現在の季節に応じて、記憶部１１を参照して当該季節を示す季節情報に関連付けられているカテゴリを優先的に配置してもよい。
【符号の説明】
【００８６】
１・・・ウェブページ提供装置、１１・・・記憶部、１１１・・・リンクＤＢ、１１２・・・カテゴリＤＢ、１１３・・・ユーザＤＢ、１１４・・・集計ＤＢ、１１５・・・評価ＤＢ、１２・・・制御部、１２１・・・受信部、１２２・・・生成部、１２３・・・送信部、１２４・・・優先度取得部、１２５・・・集計部、１２６・・・評価情報取得部、２・・・端末、Ｓ・・・ウェブページ提供システム
【要約】
【課題】ユーザが多数のウェブコンテンツへのリンクを容易に確認できるウェブページを提供する。
【解決手段】ウェブページ提供装置１は、コンテンツへのリンクとコンテンツが属するカテゴリとを関連付けたリンク情報と、ウェブページにおけるカテゴリごとのリンクの表示件数を示す表示件数情報を含むカテゴリ情報とを記憶する記憶部１１と、端末２からウェブページのリクエストを受信する受信部１２１と、受信部１２１がリクエストを受信したことに応じて、リンク情報及びカテゴリ情報に基づいて、カテゴリごとに表示件数分のリンクを含むウェブページを生成する生成部１２２と、生成されたウェブページを端末２に送信する送信部１２３とを備える。
【選択図】図２【図１】
0005398097.tif 000002
【図２】
0005398097.tif 000003
【図３】
0005398097.tif 000004
【図４】
0005398097.tif 000005
【図５】
0005398097.tif 000006
【図６】
0005398097.tif 000007
【図７】
0005398097.tif 000008
【図８】
0005398097.tif 000009
【図９】
0005398097.tif 000010
【図１０】
0005398097.tif 000011
【図１１】
0005398097.tif 000012
【図１２】
0005398097.tif 000013
【図１３】
0005398097.tif 000014
【図１４】
0005398097.tif 000015
【図１５】
0005398097.tif 000016
【図１６】
0005398097.tif 000017
【図１７】
0005398097.tif 000018